(57)【特許請求の範囲】
【請求項１】
気体燃料を内部で燃焼させて粒子状物質含有ガスまたはフィルタ再生用高熱ガスを発生させる燃焼室であって、前記燃焼室に燃焼用空気を供給する空気入口と、前記燃焼室で発生した粒子状物質含有ガスまたはフィルタ再生用高熱ガスを前記燃焼室から排出するガス出口とを備えた燃焼室、
前記燃焼室内に挿入され気体燃料を前記燃焼室内に連続的に供給する粒子状物質発生用メインバーナおよびフィルタ再生用高熱ガス発生用メインバーナの少なくとも２つのメインバーナ、および、
前記燃焼室内に取り付けられ前記燃焼室に供給された気体燃料と燃焼用空気の混合ガスに着火するパイロットバーナを備えた粒子状物質含有ガスまたはフィルタ再生用高熱ガス発生装置。
【請求項２】
気体燃料の主成分が、メタン、エタン、プロパン、およびブタンから選択される少なくとも一種である請求項１に記載の粒子状物質含有ガスまたはフィルタ再生用高熱ガス発生装置。
【請求項３】
前記粒子状物質発生用メインバーナは、供給孔が１個形成された管状構造であり、前記供給孔の開口径が４〜１０ｍｍであるプロパン供給用バーナである請求項１または２に記載の粒子状物質含有ガスまたはフィルタ再生用高熱ガス発生装置。
【請求項４】
前記粒子状物質発生用メインバーナは、供給孔が１個形成された管状構造であり、前記供給孔の開口径が６〜１４ｍｍであるメタン供給用バーナである請求項１または２に記載の粒子状物質含有ガスまたはフィルタ再生用高熱ガス発生装置。
【請求項５】
前記フィルタ再生用高熱ガス発生用メインバーナは、供給孔を８〜２０個一列に形成した管状構造であり、前記供給孔の開口径が２ｍｍであるプロパン供給用バーナである請求項１〜４のいずれか１項に記載の粒子状物質含有ガスまたはフィルタ再生用高熱ガス発生装置。
【請求項６】
前記フィルタ再生用高熱ガス発生用メインバーナは、供給孔を２０〜３０個一列に形成した管状構造であり、前記供給孔の開口径が２ｍｍであるメタン供給用バーナである請求項１〜４のいずれか１項に記載の粒子状物質含有ガスまたはフィルタ再生用高熱ガス発生装置。
【請求項７】
前記粒子状物質発生用メインバーナから供給される気体燃料の前記メインバーナからの供給方向が、前記燃焼用空気の流れ方向を含む平面内における、前記燃焼用空気の流れ方向を０°方向とし前記燃焼用空気の流れ方向に直交する方向を９０°方向としたときの、９０°〜２７０°方向である請求項１〜６のいずれか１項に記載の粒子状物質含有ガスまたはフィルタ再生用高熱ガス発生装置。
【請求項８】
請求項１〜７のいずれか１項に記載の粒子状物質含有ガスまたはフィルタ再生用高熱ガス発生装置を用いて、粒子状物質含有ガスまたはフィルタ再生用高熱ガスを発生させる、粒子状物質含有ガスまたはフィルタ再生用高熱ガス発生方法。
【請求項９】
請求項１〜７のいずれか１項に記載の粒子状物質含有ガスまたはフィルタ再生用高熱ガス発生装置を用いて、前記粒子状物質含有ガス発生時の空気過剰率が０．９〜２．０になるように、前記空気入口から前記燃焼用空気を供給し、前記メインバーナから前記気体燃料を連続的に供給し、前記パイロットバーナにより前記気体燃料に着火して前記気体燃料を燃焼させて粒子状物質を発生させ、前記粒子状物質含有ガスを前記ガス出口から排出させる粒子状物質発生方法。
【請求項１０】
請求項１〜７のいずれか１項に記載の粒子状物質含有ガスまたはフィルタ再生用高熱ガス発生装置と、
前記発生装置のガス出口側に配設された、評価試料である多孔質セラミック構造体を収納する試料収納容器とを備えた多孔質セラミック構造体評価装置。
【請求項１１】
請求項１〜７のいずれか１項に記載の粒子状物質含有ガスまたはフィルタ再生用高熱ガス発生装置と前記試料収納容器との間に、粒子状物質含有ガスまたはフィルタ再生用高熱ガスと混合することにより粒子状物質含有ガスまたはフィルタ再生用高熱ガスを冷却する冷却空気を供給する冷却空気供給手段と、
前記冷却空気供給手段から供給される空気の流量を制御する冷却空気流量制御手段とを更に備えた請求項１０に記載の多孔質セラミック構造体評価装置。
【発明の詳細な説明】
【技術分野】
【０００１】
本発明は、粒子状物質を捕集するフィルタの長期信頼性、耐久性を評価確認するために使用される粒子状物質含有ガスまたはフィルタ再生用高熱ガス発生装置および、この装置を使用した粒子状物質含有ガスまたはフィルタ再生用高熱ガス発生方法に関する。さらに、この装置を備えた多孔質セラミック構造体評価装置の連続再生試験装置に関する。
【背景技術】
【０００２】
各種の内燃機関等から排出される排気ガス中の微粒子や有害物質は、人体、環境への影響が大きく、これらの大気への放出を防止する必要性が高まっている。特にディーゼルエンジンから排出される粒子状物質（Ｐａｒｔｉｃｕｌａｔｅ  Ｍａｔｔｅｒ：ＰＭ）やＮＯＸ（窒素酸化物）等は影響が甚大であり、それらにかかる規制は世界的に強化されている。そこで、ＰＭを捕集するためのフィルタ（Ｄｉｅｓｅｌ  Ｐａｒｔｉｃｕｌａｔｅ  Ｆｉｌｔｅｒ：ＤＰＦ）や、ＮＯＸを窒素と水に還元する等の特性を有する触媒、を備えた排気ガス浄化装置の研究、開発が進められ、高性能な排気ガス浄化装置が市場に提供されるようになった。
【０００３】
ところが、その排気ガス浄化装置を試験し、その性能や耐久性を、正確に高い精度で評価する手段は提案されていなかった。又、このような技術に関連する先行文献も多くはない。
【０００４】
このような状況に鑑み、出願人は、特許文献１〜３にかかる技術を開発し、これを開示している。これらにより、排気ガス浄化装置を評価するために、実際のディーゼルエンジン等から排出される排気ガスを模擬した排気ガスを、安定的に供給することが可能になっている。尚、他の先行技術文献として、特許文献４および５を挙げることが出来る。さらに、この粒子状物質を、安定して排ガス浄化装置に供給することができるＰＭ（粒子状物質）発生装置（特許文献１）と、フィルタ再生用高熱ガス製造装置を並列に接続した、フィルタ用連続再生試験装置（特許文献３）により、粒子状物質を捕集するフィルタの長期信頼性、耐久性を安定して確認することが可能になっている。
【先行技術文献】
【特許文献】
【０００５】
【特許文献１】特開２００７−１５５７０８号公報
【特許文献２】特開２００７−１５５７１２号公報
【特許文献３】特開２０１０−２２３８８２号公報
【特許文献４】特開平８−１８９３３９号公報
【特許文献５】特開２００５−２１４７４２号公報
【発明の概要】
【発明が解決しようとする課題】
【０００６】
しかしながら、例えば、ＰＭの堆積と再生を繰り返すＤＰＦ（ディーゼルパティキュレートフィルタ）を備えた排気ガス浄化装置における、当該ＤＰＦの長期信頼性、耐久性を確認または評価するに際しては、エンジン実機と同等の結果で、かつ、粒子状物質の発生量が多く、短時間で効率よく試験が可能であることが求められている。しかしながら、上記特許文献４および５に係る技術は、このような要望に十分に応えられているとはいえず、出願人の開示した特許文献１〜３に係る技術も必ずしも満足できるものではなかった。
【０００７】
特許文献１および３の粒子状物質発生装置は、軽油燃料間欠噴射手段を備え、燃焼用空気の中に燃料を間欠的に噴射するＰＭ（粒子状物質）発生装置で、粒子状物質を多量に発生させることができる優れたものである。しかしながら、ディーゼルエンジより排出される粒子状物質に比べ燃焼温度が低いため、再生時のＤＰＦ内部の温度差が大きくなる。その結果、ＤＰＦの破壊温度がディーゼルエンジン実機より、約５０℃低くなることが判明した。従って、ＰＭ（粒子状物質）の燃焼温度の観点から更に改良の余地のあるものであった。また、所定圧損までのＰＭ堆積量のバラツキもエンジン評価に比べれば小さいものの、十分満足できるものではなかった。さらに、ＰＭ（粒子状物質）発生装置の高温となる燃焼室内に、軽油を気化させるための金属部品を使用しているため、その耐久性が低い。このため、度々、メンテナンスおよび燃焼部品の交換が必要で、試験を中断せざるを得なかった。さらに、フィルタ用連続再生試験装置（特許文献３）は、軽油燃料を使用したＰＭ（粒子状物質）発生装置（特許文献１）と、気体燃料を使用した、フィルタ再生用高熱ガス製造装置の二つの装置を並列に接続した構造であるため、各々別々の装置を操作、調整する必要があり、複雑で試験の安定性に欠けるという問題があった。さらに、装置が大きく、設備費も高額であるなどの問題もあった。
【０００８】
本発明は、このような事情に鑑みてなされたものであり、その課題は、ディーゼルエンジより排出される粒子状物質と同等の燃焼温度を有する粒子状物質を多量に発生させることができ、かつ、所定圧損までのＰＭ堆積量のバラツキが小さい粒子状物質発生装置であると同時に、フィルタ再生用高熱ガス発生装置でもある装置を提供することにある。この装置では、気体燃料を使用し、両機能を一台の装置、一つの燃焼室で実現する。研究が重ねられた結果、以下に示す手段により、上記課題を解決し得ることが見出された。
【課題を解決するための手段】
【０００９】
上述の課題を解決するため、本発明は、以下の粒子状物質含有ガスまたはフィルタ再生用高熱ガス発生装置、粒子状物質含有ガス発生方法および多孔質セラミック構造体評価装置を提供する。
【００１０】
［１］  気体燃料を内部で燃焼させて粒子状物質含有ガスまたはフィルタ再生用高熱ガスを発生させる燃焼室であって、前記燃焼室に燃焼用空気を供給する空気入口と、前記燃焼室で発生した粒子状物質含有ガスまたはフィルタ再生用高熱ガスを前記燃焼室から排出するガス出口とを備えた燃焼室、前記燃焼室内に挿入され気体燃料を前記燃焼室内に連続的に供給する粒子状物質発生用メインバーナおよびフィルタ再生用高熱ガス発生用メインバーナの少なくとも２つのメインバーナ、および、前記燃焼室内に取り付けられ前記燃焼室に供給された気体燃料と燃焼用空気の混合ガスに着火するパイロットバーナを備えた粒子状物質含有ガスまたはフィルタ再生用高熱ガス発生装置。
【００１２】
［２］  気体燃料の主成分が、メタン、エタン、プロパン、およびブタンから選択される少なくとも一種である上記［１］に記載の粒子状物質含有ガスまたはフィルタ再生用高熱ガス発生装置。
【００１３】
［３］  前記粒子状物質発生用メインバーナは、供給孔が１個形成された管状構造であり、前記供給孔の開口径が４〜１０ｍｍであるプロパン供給用バーナである上記［１］または［２］に記載の粒子状物質含有ガスまたはフィルタ再生用高熱ガス発生装置。
【００１４】
［４］  前記粒子状物質発生用メインバーナは、供給孔が１個形成された管状構造であり、前記供給孔の開口径が６〜１４ｍｍであるメタン供給用バーナである上記［１］または［２］に記載の粒子状物質含有ガスまたはフィルタ再生用高熱ガス発生装置。
【００１５】
［５］  前記フィルタ再生用高熱ガス発生用メインバーナは、供給孔を８〜２０個一列に形成した管状構造であり、前記供給孔の開口径が２ｍｍであるプロパン供給用バーナである上記［１］〜［４］のいずれかに記載の粒子状物質含有ガスまたはフィルタ再生用高熱ガス発生装置。
【００１６】
［６］  前記フィルタ再生用高熱ガス発生用メインバーナは、供給孔を２０〜３０個一列に形成した管状構造であり、前記供給孔の開口径が２ｍｍであるメタン供給用バーナである上記［１］〜［４］のいずれかに記載の粒子状物質含有ガスまたはフィルタ再生用高熱ガス発生装置。
【００１７】
［７］  前記粒子状物質発生用メインバーナから供給される気体燃料の前記メインバーナからの供給方向が、前記燃焼用空気の流れ方向を含む平面内における、前記燃焼用空気の流れ方向を０°方向とし前記燃焼用空気の流れ方向に直交する方向を９０°方向としたときの、９０°〜２７０°方向である上記［１］〜［６］のいずれかに記載の粒子状物質含有ガスまたはフィルタ再生用高熱ガス発生装置。
【００１８】
［８］  上記［１］〜［７］のいずれかに記載の粒子状物質含有ガスまたはフィルタ再生用高熱ガス発生装置を用いて、粒子状物質含有ガスまたはフィルタ再生用高熱ガスを発生させる、粒子状物質含有ガスまたはフィルタ再生用高熱ガス発生方法。
【００１９】
［９］  上記［１］〜［７］のいずれかに記載の粒子状物質含有ガスまたはフィルタ再生用高熱ガス発生装置を用いて、前記粒子状物質含有ガス発生時の空気過剰率が０．９〜２．０になるように、前記空気入口から前記燃焼用空気を供給し、前記メインバーナから前記気体燃料を連続的に供給し、前記パイロットバーナにより前記気体燃料に着火して前記気体燃料を燃焼させて粒子状物質を発生させ、前記粒子状物質含有ガスを前記ガス出口から排出させる粒子状物質発生方法。
【００２０】
［１０］  上記［１］〜［７］のいずれかに記載の粒子状物質含有ガスまたはフィルタ再生用高熱ガス発生装置と、前記発生装置のガス出口側に配設された、評価試料である多孔質セラミック構造体を収納する試料収納容器とを備えた多孔質セラミック構造体評価装置。
【００２１】
［１１］  上記［１］〜［７］のいずれかに記載の粒子状物質含有ガスまたはフィルタ再生用高熱ガス発生装置と前記試料収納容器との間に、粒子状物質含有ガスまたはフィルタ再生用高熱ガスと混合することにより粒子状物質含有ガスまたはフィルタ再生用高熱ガスを冷却する冷却空気を供給する冷却空気供給手段と、前記冷却空気供給手段から供給される空気の流量を制御する冷却空気流量制御手段とを更に備えた上記［１０］に記載の多孔質セラミック構造体評価装置。
【発明の効果】
【００２２】
本発明の粒子状物質含有ガスまたはフィルタ再生用高熱ガス発生装置によって、相反する２つの機能を１つの装置で実現することが可能となった。すなわち、本発明の粒子状物質含有ガスまたはフィルタ再生用高熱ガス発生装置によって、ディーゼルエンジンより排出される粒子状物質と同等の燃焼温度を有する粒子状物質を多量に発生させることが必要な粒子状物質含有ガスを発生する機能と、粒子状物質の発生をできるだけ抑制することが必要なフィルタ再生用高熱ガス発生を発生する機能とを一台の装置で実現することが可能となった。
【００２３】
本発明の粒子状物質含有ガスまたはフィルタ再生用高熱ガス発生装置は、気体燃料を、燃焼室内に連続的に供給しながら、高い空気過剰率で、当該気体燃料を高温で燃焼させて粒子状物質を発生させることを可能としたため、エンジン発生粒子状物質と同等の燃焼温度の高い、粒子状物質を多量に発生させることができる。
【００２４】
また、気体燃料であること、高い空気過剰率で粒子状物質を発生できることから、ＳＯＦ量が少なく、フィルタ設定圧損までのＰＭ堆積量のバラツキが小さくなり、評価の精度が高くなった。
【００２５】
さらに、燃料として気体燃料を使用したため、液体燃料を使用した特許文献１または３のように燃焼室内に液体を気化するための金属部品が不要となり、燃焼部品のメンテナンスおよび部品交換による試験の中断が必要なくなった。さらに、同一気体燃料を使用し、ＰＭの発生と再生用高熱ガスの発生を一台の装置、一つの燃焼室で実現したため装置の操作、調整が容易となり、試験の安定性が増し、装置の小型化と設備費の低減をも実現した。
【００２６】
また、本発明の一実施形態に係る多孔質セラミック構造体評価装置によれば、粒子状物質含有ガスまたはフィルタ再生用高熱ガス発生装置で発生した粒子状物質含有ガスまたはフィルタ再生用高熱ガスを試料収納容器に送り、粒子状物質含有ガスまたはフィルタ再生用高熱ガスを試料収納容器に収納された多孔質セラミック構造体に供給することができる。
【００２７】
さらに、本発明の別の一実施形態に係る多孔質セラミック構造体評価装置によれば、冷却空気供給手段から、粒子状物質含有ガスまたはフィルタ再生用高熱ガス発生装置と試料収納容器との間に、冷却空気を導入し、粒子状物質含有ガスおよびフィルタ再生用高熱ガスと冷却空気とを混合し、粒子状物質含有ガスおよびフィルタ再生用高熱ガスの温度制御をすることができる。
【図面の簡単な説明】
【００２８】
【図１】本発明の粒子状物質含有ガスまたはフィルタ再生用高熱ガス発生装置の一の実施形態を模式的に示す側面図である。
【図２】本発明の粒子状物質含有ガスまたはフィルタ再生用高熱ガス発生装置の一の実施形態を模式的に示す平面図である。
【図３】本発明の粒子状物質含有ガスまたはフィルタ再生用高熱ガス発生装置の一の実施形態の断面を示す模式図である。
【図４】本発明の粒子状物質含有ガスまたはフィルタ再生用高熱ガス発生装置の一の実施形態の断面を示す模式図である。
【図５】本発明の粒子状物質含有ガスまたはフィルタ再生用高熱ガス発生装置の一の実施形態を構成するメインバーナを模式的に示す平面図である。
【図６】本発明の多孔質セラミック構造体評価装置の一の実施形態を模式的に示す側面図である。
【図７】本発明の多孔質セラミック構造体評価装置の一の実施形態を模式的に示す側面図である。
【図８】本発明の多孔質セラミック構造体評価装置の一の実施形態で評価を行うセラミックハニカム構造体を模式的に示す斜視図である。
【図９】本発明の多孔質セラミック構造体評価装置の一の実施形態で評価を行うセラミックハニカム構造体のセルの延びる方向に平行な断面を示す模式図である。
【発明を実施するための形態】
【００２９】
次に本発明を実施するための形態を、図面を参照しながら詳細に説明するが、本発明は以下の実施形態に限定されるものではなく、本発明の趣旨を逸脱しない範囲で、当業者の通常の知識に基づいて、適宜設計の変更、改良等が加えられることが理解されるべきである。
【００３０】
（１）：粒子状物質含有ガスまたはフィルタ再生用高熱ガス発生装置
図１は、本発明の粒子状物質含有ガスまたはフィルタ再生用高熱ガス発生装置の一の実施形態を模式的に示す側面図である。図２は、本発明の粒子状物質含有ガスまたはフィルタ再生用高熱ガス発生装置の一の実施形態を模式的に示す平面図である。図３は、本発明の粒子状物質含有ガスまたはフィルタ再生用高熱ガス発生装置の一の実施形態を構成する燃焼室の断面（燃焼用空気Ｆ１の流れ方向に平行であると共に、管状構造（円筒状）の二本のメインバーナ４および４′の中心軸に直交する断面）を示す模式図である。本発明の粒子状物質含有ガスまたはフィルタ再生ガス発生装置の一の実施形態は、図１〜図３に示すように、気体燃料が内部で燃焼されて粒子状物質含有ガスまたはフィルタ再生用高熱ガスが発生する燃焼室３であって、燃焼用空気Ｆ１を供給するための空気入口１ならびに発生した粒子状物質を含有する粒子状物質含有ガスまたはフィルタ再生用高熱ガスＦ２を排出するためのガス出口２を有する燃焼室、燃焼室３に配設されて気体燃料を燃焼室３内に連続的に供給する粒子状物質発生用メインバーナ４、燃焼室３に配設され気体燃料を燃焼室３内に連続的に供給するフィルタ再生用高熱ガス発生用メインバーナ４′、および燃焼室３に配設され燃焼室３に供給された気体燃料に着火するパイロットバーナ６を備えるものである。
【００３１】
（１−１）：燃焼室
本実施形態の粒子状物質含有ガスまたはフィルタ再生用高熱ガス発生装置１００は、燃焼用空気Ｆ１を供給するための空気入口１及び発生した粒子状物質を含有する粒子状物質含有ガスまたはフィルタ再生用高熱ガスＦ２を排出するためのガス出口２を有し、気体燃料が内部で燃焼されて粒子状物質が発生する燃焼室３を備えるものである。燃焼室３の形状は、図１および図２に示すように、「両端部がテーパー状に細く形成された円筒状」であることが好ましい。しかしながら「一方の端部がテーパー状に細く形成された円筒状」であってもよく、また、両端部にテーパーが形成されていない通常の円筒状であってもよく、更には、底面が「四角形等の多角形（両端部又は一方の端部がテーパー状であるものも含む）」の筒状であってもよい。燃焼室３の形状が、図１および図２に示すように、「一方の端部がテーパー状に細く形成された円筒状」であると、「一方の端部がテーパー状に形成されている」ため、燃焼用空気および粒子状物質含有ガスの流れがスムーズとなり、粒子状物質の発生量が多く、且つ、圧損を低く抑えることができる。また、燃焼室３の空気入口１とガス出口２には、図１および図２に示すように、他の部材や配管との接合のために、フランジ（鍔部）７が配設されていることが好ましい。
【００３２】
燃焼室３の大きさは、特に限定されないが、必要な範囲の燃焼エア（燃焼用空気）により、燃料を燃焼させ、粒子状物質を生成させることができる大きさであることが好ましい。例えば、評価試料の大きさの範囲から、必要な範囲の排気ガス流量が燃焼空気流量で４Ｎｍ３／分〜０．２５Ｎｍ３／分であって、粒子状物質の発生量（濃度）が０．２５〜０．７５ｇ／Ｎｍ３必要となる場合、燃焼室内径（直径）は１３０〜２５０ｍｍであることが好ましく、１５０〜２００ｍｍであることが更に好ましい。また、同様に燃焼空気流量が４Ｎｍ３／分〜０．２５Ｎｍ３／分の場合の燃焼室３の容積は、６，０００〜３５，０００ｃｍ３であることが好ましく、６，０００〜３０，０００ｃｍ３であることが更に好ましい。燃焼室内径が１３０ｍｍより小さいと、粒子状物質の生成量が少なくなることがある。また、燃焼室内径が２５０ｍｍより大きいと最小燃焼空気流量が制限されることがある。燃焼室の内容積が、６，０００ｃｍ３より小さいと燃焼室壁が高温となり、燃焼室が酸化劣化したり、周辺への熱遮蔽が必要となることがある。また、燃焼室の内容積が、３５，０００ｃｍ３より大きいと、粒子状物質含有ガスまたはフィルタ再生用高熱ガス発生装置が大きくなるため、粒子状物質含有ガスまたはフィルタ再生用高熱ガス発生装置の製造コストや運転コストが大きくなり、粒子状物質含有ガスまたはフィルタ再生用高熱ガス発生装置を設置するためのスペースを大きくする必要が生じることがある。
【００３３】
ここで、燃焼空気流量とは、評価試験に必要となる所定温度の排気ガス流量を得るために必要となる燃焼空気流量を言う。排気ガス流量は、試料の容積に比例して決まり、評価試料の容積が最大の場合に必要となる燃焼空気流量を最大燃焼空気流量、評価試料容量が最小の場合の燃焼空気流量を最小燃焼空気流量と言う。これらは、粒子状物質含有ガスまたはフィルタ再生用高熱ガス発生装置の設計仕様範囲である。
【００３４】
また、燃焼室３の形状が、図１および図２に示すように、「両端部がテーパー状に細く形成された円筒状」である場合、燃焼室３の空気入口１の「ガスの流れる方向に直交する断面」の面積は、燃焼室３の、「ガスの流れる方向に直交する断面」の面積の最も大きな部分における、当該最も大きな断面積の１５〜６０％であることが好ましく、２５〜５０％であることが更に好ましい。
【００３５】
また、燃焼室３の壁の厚さは、３〜１０ｍｍであることが好ましく、４〜７ｍｍであることが更に好ましい。燃焼室３の壁の厚さが薄すぎると、フィルタ用連続再生試験装置の強度が低下することがある。燃焼室３の壁の厚さが厚すぎると、フィルタ用連続再生試験装置が重くなり過ぎることがあり、また、フィルタ用連続再生試験装置の製造コストが高くなることがある。また、燃焼室３の材質としては、ステンレス鋼、ニッケル合金等を挙げることができる。
【００３６】
燃焼用空気Ｆ１は、コンプレッサーによって空気を加圧して生成させることが好ましい。そして、減圧弁および流量制御弁によって調整された燃焼用空気（圧縮空気）Ｆ１が、燃焼室３の空気入口１に供給されることが好ましい。燃焼用空気Ｆ１を発生させる装置は、冷却空気供給手段４１（図７を参照）としてもよい。つまり、冷却空気供給手段４１（図７を参照）で生成させた圧縮空気を、燃焼用空気Ｆ１及び冷却空気Ｆ３（図７を参照）の両方に使用してもよい。
【００３７】
本実施形態の粒子状物質含有ガスまたはフィルタ再生用高熱ガス発生装置１００においては、燃焼室３内の平均空気過剰率が０．９〜２．０であることが好ましく、１〜１．５であることが更に好ましい。平均空気過剰率が０．９より小さくても、平均空気過剰率が２．０より大きくても、粒子状物質の燃焼温度が低くなることがある。燃焼室３内の平均空気過剰率は、燃焼室３を流れる燃焼用空気全体の流量（体積）と供給している燃料全体の流量（体積）と、を用いて算出した値である。ここで、「空気過剰率」は、燃焼空気の流量（体積）を、「供給している燃料」を過不足なく燃焼させるために必要な空気の理論流量（体積）と燃料の流量（体積）で、除した値である。そして、燃焼室３内の平均空気過剰率は、燃焼室３内を流れる燃焼用空気全体の流量（体積）と、供給している燃料全体の流量（体積）と、を用いて算出した「空気過剰率」のことである。燃焼用空気の供給量と燃料の供給量とを適宜調整することにより、平均空気過剰率を適宜調整することが可能である。
【００３８】
本実施形態の粒子状物質含有ガスまたはフィルタ再生用高熱ガス発生装置１００においては、燃焼用空気Ｆ１の平均流速（燃焼室３内における燃焼用空気Ｆ１の平均流速）は、０．１〜４．０ｍ／秒であることが好ましく、０．１〜２．０ｍ／秒であることが更に好ましい。０．１ｍ／秒より遅いと、粒子状物質の燃焼温度が低くなることがある。４．０ｍ／秒より速いと、粒子状物質の発生量が少なくなることがある。
【００３９】
（１−２）：メインバーナ
本実施形態の粒子状物質含有ガスまたはフィルタ再生用高熱ガス発生装置１００においては、図１〜３に示すように、気体燃料の供給孔５が形成された筒状の粒子状物質発生用メインバーナ４および気体燃料の供給孔５が形成された筒状のフィルタ再生用高熱ガス発生用メインバーナ４′が、中心軸が燃焼用空気Ｆ１の流れる方向に直交するように、燃焼室３の側面から燃焼室３内部に挿入されていることが好ましい。図４は、本発明の粒子状物質含有ガスまたはフィルタ再生用高熱ガス発生装置の一の実施形態の断面を示す模式図であり、本発明における粒子状物質発生用メインバーナ４の向きを説明する図である。図４は、燃焼用空気Ｆ１の流れ方向に平行であるとともに、粒子状物質発生用メインバーナ４に直交する平面で切断した断面である。図４に示すように、「粒子状物質含有ガス発生用メインバーナ４から供給される気体燃料」の粒子状物質発生用メインバーナ４からの供給方向（気体燃料の供給方向）Ｑが、燃焼用空気Ｆ１の流れ方向を含む（燃焼用空気Ｆ１の流れ方向に平行な）平面内における、燃焼用空気Ｆ１の流れ方向を０°方向（Ｑ０）とし燃焼用空気Ｆ１の流れ方向に直交する方向を９０°方向（Ｑ９０）としたときの、９０°方向〜２７０°方向（９０°方向（Ｑ９０）〜２７０°方向（Ｑ２７０））であることが好ましく、１３５°方向〜２２５°方向であることが更に好ましい。このように、気体燃料の供給方向Ｑを、燃焼用空気Ｆ１の流れ方向を含む平面内における、９０°方向〜２７０°方向とすることにより、より燃焼温度の高い粒子状物質を多量に発生することができ１３５°方向〜２２５°方向とすることにより、更に燃焼温度の高い粒子状物質を多量に発生することができる。「気体燃料の供給方向」は、粒子状物質発生用メインバーナ４の「供給孔５の向き」であるということもできる。
【００４０】
燃焼室３内において粒子状物質発生用メインバーナ４が配置されている位置は、パイロットバーナ６から下流側（燃焼用空気Ｆ１の流れ方向における下流側）に向かって１００ｍｍの位置から、パイロットバーナ６から上流側（燃焼用空気Ｆ１の流れ方向における上流側）に向かって２００ｍｍの位置までの範囲内であり、パイロットバーナ６から下流側に向かって１００ｍｍの位置から、パイロットバーナ６から上流側に向かって１００ｍｍの位置までの範囲内であることが好ましく、パイロットバーナ６から下流側に向かって１００ｍｍの位置から、パイロットバーナ６から上流側に向かって５０ｍｍの位置までの範囲内であることが更に好ましい。
【００４１】
このように、本実施形態の粒子状物質含有ガスまたはフィルタ再生用高熱ガス発生装置１００は、粒子状物質発生用メインバーナとパイロットバーナの距離を近くし、燃焼エア（燃焼用空気）と気体燃料を燃焼室３内に共に連続的に供給しながら、当該気体燃料を燃焼させて粒子状物質を発生させるため、燃焼温度の高い粒子状物質を発生させることができる。更に詳細には、気体燃料を燃焼室３内に連続的に供給し空気過剰率を０．９〜２．０の間の高い範囲で燃焼させることにより、燃焼温度が高くなり、燃焼温度の高い炭素を主成分とする粒子状物質を生成させることができる。具体的には、粒子状物質の燃焼温度を、５２０〜５６０℃とすることができる。ここで、「炭素を主成分とする」とは、粒子状物質全体において炭素が９０質量％以上含有されることを意味する。粒子状物質中には、炭素以外にはＳＯＦ（Ｓｏｌｕｂｌｅ  Ｏｒｇａｎｉｃ  Ｆｒａｃｔｉｏｎ：可溶性有機成分）分等が含有されることがある。
【００４２】
粒子状物質発生用メインバーナ４およびフィルタ再生用高熱ガス発生用メインバーナ４′の燃焼室３に挿入されている部分の長さ及び内径（メインバーナ４および４′の内部の空間部分の、中心軸方向に直交する断面における直径）は、特に限定されないが、燃焼室の径、メインバーナ４および４′の供給孔５の位置、数および孔径に基づいて決定される。一方、粒子状物質含有ガス発生用メインバーナ４の供給孔５の孔径は、フィルタ用連続再生試験装置の燃焼エア流量範囲と粒子状物質発生用メインバーナ４の位置の燃焼エア流速、および気体燃料の種類に基づいて決定される。燃焼エア流量範囲が０．２５Ｎｍ３／分〜４Ｎｍ３／分では４ｍｍ〜１０ｍｍであることが好ましい。さらに、フィルタ再生用高熱ガス発生用メインバーナ４′の供給孔５は、気体燃料の種類に基づいて決定される。気体燃料がプロパンである場合、供給孔５は孔径が２ｍｍで、８〜２０個一列に形成されることが好ましい。メインバーナ４および４′の壁の厚さは、０．５〜２ｍｍが好ましい。０．５ｍｍより薄いと、メインバーナ４の強度が低下することがある。２ｍｍより厚いと、メインバーナの内径が小さくなるか、メインバーナの外径（メインバーナ４の、中心軸方向に直交する断面における外周の直径）が大きくなることがある。尚、メインバーナ４および４′の外径が大きいと、燃焼室３内の燃焼エアが乱れ、粒子状物質の生成量が少なくなることがある。
【００４３】
メインバーナの個数は、粒子状物質発生用メインバーナ４およびフィルタ再生用高熱ガス発生用メインバーナ４′の少なくとも２つを備えるのが好ましい。しかしながら、粒子状物質発生用メインバーナ４およびフィルタ再生用高熱ガス発生用メインバーナ４′のいずれかまたは双方を複数設けることも可能である。さらに、粒子状物質発生用メインバーナ４とフィルタ再生用高熱ガス発生用メインバーナ４′とを１つのバーナで共用することも可能である。この場合、気体燃料の供給方向を、粒子状物質を発生させるときと、フィルタ再生用高熱ガスを発生させるときとの間で、切り替え可能に構成することが好ましい。さらに、気体燃料の供給孔５の径を、粒子状物質を発生させるときと、フィルタ再生用ガスを発生させるときとの間で、切り替え可能に構成することが好ましい。
【００４４】
メインバーナ４および４′から供給される気体燃料としては、メタンガス、エタンガス、プロパンガス、ブタンガス等を挙げることができる。
【００４５】
図５は、本発明の粒子状物質含有ガスまたはフィルタ再生用高熱ガス発生装置の一の実施形態を構成するメインバーナを模式的に示す平面図である。図５に示すように、本実施形態の粒子状物質含有ガスまたはフィルタ再生用高熱ガス発生装置１００においては、気体燃料がプロパンである場合、粒子状物質発生用メインバーナ４は、「気体燃料を供給する供給孔５が１個形成され、供給孔５の開口径が４〜１０ｍｍである管状構造」であることが好ましい。粒子状物質発生用メインバーナ４に供給孔５が１個形成される場合に、供給孔５の開口径が４ｍｍより小さく、１０ｍｍより大きいと、気体燃料と燃焼エア（燃焼用空気）の混合が良くなる場合があり、粒子状物質の生成量が少なくなることがある。また、フィルタ再生用高熱ガス発生用メインバーナ４′は、気体燃料がプロパンである場合、「気体燃料を供給する供給孔５の開口径が２ｍｍで、供給孔５が８〜２０個一列に形成される管状構造」であることが好ましい。
【００４６】
本実施形態の粒子状物質含有ガスまたはフィルタ再生用高熱ガス発生装置１００においては、気体燃料がメタンである場合、粒子状物質含有ガス発生用メインバーナ４は、「気体燃料を供給する供給孔５が１個形成され、供給孔５の開口径が６〜１４ｍｍである管状構造」であることが好ましい。粒子状物質発生用メインバーナ４に供給孔５が１個形成される場合に、供給孔５の開口径が６ｍｍより小さく、１４ｍｍより大きいと、気体燃料と燃焼エア（燃焼用空気）の混合が良くなる場合があり、粒子状物質の生成量が少なくなることがある。また、フィルタ再生用高熱ガス発生用メインバーナ４′は、気体燃料がメタンである場合、「気体燃料を供給する供給孔５の開口径が２ｍｍで、供給孔５が２０〜３０個一列に形成される管状構造」であることが好ましい。ここで、メタンとはメタンおよびメタンを主成分とする天然ガスを含むものとする。
【００４７】
メインバーナ４および４′の形状は、図１、図５に示すように、管状（円筒状）であることが好ましいが、底面が「四角形等の多角形」の筒状であってもよい。供給孔５の開口は、円形が好ましいが、楕円形状または多角形形状であってもよい。
【００４８】
また、メインバーナ４および４′の材質としては、ステンレス鋼、ニッケル合金等を挙げることができる。
【００４９】
（１−３）：パイロットバーナ
本実施形態の粒子状物質含有ガスまたはフィルタ再生用高熱ガス発生装置１００は、図１〜図３に示すように、燃焼室３の壁面に取り付けられ、燃焼室に供給された気体燃料に着火する、パイロットバーナ６を備えている。パイロットバーナ６の燃料は、粒子状物質発生用メインバーナ４およびフィルタ再生用高熱ガス発生用メインバーナ４′と同じ燃料であることが好ましい。パイロットバーナ６の断面形状は、筒状であることが好ましい。パイロットバーナ６は、燃焼室３の壁面に取り付けられていることが好ましい。パイロットバーナ６の構造としては、自動点火が可能であることが好ましい。また、パイロットバーナ６は、圧縮空気の使用が可能であることが好ましい。また、パイロットバーナ６は、火炎検知器の取り付けが可能であることが好ましい。
【００５０】
パイロットバーナ６の材質としては、ステンレス鋼、炭素鋼等を挙げることができる。
【００５１】
（２）粒子状物質含有ガスまたはフィルタ再生用高熱ガス発生装置の製造方法：
本発明の粒子状物質含有ガスまたはフィルタ再生用高熱ガス発生装置の一の実施形態の製造方法としては、特に限定されないが、例えば以下の方法を挙げることができる。
【００５２】
一つの燃焼室に、二つのメインバーナ及び一つのパイロットバーナを所定の材料を用いてそれぞれ作製する。燃焼室、メインバーナ及びパイロットバーナの材料は、上記本発明の粒子状物質含有ガスまたはフィルタ再生用高熱ガス発生装置の一の実施形態において好ましいとされた材料であることが好ましい。燃焼室、メインバーナ及びパイロットバーナは、それぞれ、上記本発明の粒子状物質含有ガスまたはフィルタ再生用高熱ガス発生装置の一の実施形態において好ましいとされた形状等に形成することが好ましい。
【００５３】
作製した、燃焼室、メインバーナ及びパイロットバーナを、上記本発明のフィルタ用連続再生試験装置の一の実施形態において好ましいとされた位置関係になるように組み立てて本発明の粒子状物質含有ガスまたはフィルタ再生用高熱ガス発生装置の一の実施形態を得ることが好ましい。
【００５４】
（３）粒子状物質発生方法：
本発明の粒子状物質発生方法の一の実施形態は、上記本発明の粒子状物質含有ガスまたはフィルタ再生用高熱ガス発生装置の一の実施形態を用いて、粒子状物質含有ガスを発生させる方法である。
【００５５】
このように、本発明の粒子状物質発生方法の一の実施形態は、上記本発明の粒子状物質含有ガスまたはフィルタ再生用高熱ガス発生装置の一の実施形態を用いて、粒子状物質を発生させるため、燃焼温度の高い粒子状物質を発生させることができる。具体的には、ディーゼルエンジン発生粒子状物質の燃焼温度５１０〜５６０℃と同等の、５２０〜５６０℃とすることができる。そして、ＤＰＦの評価を効率よく実施可能な、フィルタ用連続再生試験装置として望ましい燃焼エア１Ｎｍ３当たり、０．７５ｇ以上の粒子状物質を生成させることができる。
【００５６】
本実施形態の粒子状物質発生方法は、図１〜図３に示す粒子状物質含有ガスまたはフィルタ再生用高熱ガス発生装置１００を用いて、空気入口１から燃焼用空気Ｆ１と、メインバーナ４から気体燃料を共に連続的に供給し、（燃焼用空気Ｆ１、気体燃料共に連続的に供給する）パイロットバーナ６により気体燃料に着火して気体燃料を燃焼させて粒子状物質を発生させ、冷却用空気Ｆ３により排気ガス温度を調整し、粒子状物質を含有するガス（粒子状物質含有ガスＦ２）をガス出口２から排出するものである。
【００５７】
本実施形態の粒子状物質発生方法においては、平均空気過剰率（燃焼室内の平均空気過剰率）が０．９〜２．０になるように、空気入口から燃焼用空気を供給することが好ましい。平均空気過剰率は、１．０〜１．５であることが更に好ましい。平均空気過剰率が０．９より小さくても、平均空気過剰率が２．０より大きくても、発生する炭素を主成分とする粒子状物質の燃焼温度は低くなる。
【００５８】
本実施形態の粒子状物質発生方法においては、粒子状物質発生用メインバーナ４に着火してから、１０〜２０秒後に、パイロットバーナ６を消火することが好ましい。１０秒後より前にパイロットバーナ６を消火すると、粒子状物質発生用メインバーナ４がその後消えることがある。１０〜２０秒後にパイロットバーナ６を消火すると、安定した燃焼状態でさらに粒子状物質（ＰＭ）を効率よく発生することができる。
【００５９】
（４）多孔質セラミック構造体評価装置：
図６は、本発明の多孔質セラミック構造体評価装置の一の実施形態を模式的に示す側面図である。本発明の多孔質セラミック構造体評価装置の一の実施形態（多孔質セラミック構造体評価装置２００）は、図６に示すように、上記本発明の粒子状物質含有ガスまたはフィルタ再生用高熱ガス発生装置の一の実施形態（粒子状物質含有ガスまたはフィルタ再生用高熱ガス発生装置１００）と、粒子状物質含有ガスまたはフィルタ再生用高熱ガス発生装置１００のガス出口２側に配設された、評価試料である多孔質セラミック構造体３２を収納する試料収納容器３１とを備え、粒子状物質含有ガスまたはフィルタ再生用高熱ガス発生装置１００で発生した粒子状物質をガスと共に試料収納容器３１に送り（粒子状物質含有ガスまたはフィルタ再生用高熱ガスＦ２を試料収納容器３１に送り）、粒子状物質を含有するガス（粒子状物質含有ガス）またはフィルタ再生用高熱ガスＦ２を試料収納容器３１に収納された多孔質セラミック構造体３２に供給することができるものである。
【００６０】
このように、本実施形態の多孔質セラミック構造体評価装置２００は、本発明の粒子状物質含有ガスまたはフィルタ再生用高熱ガス発生装置の一の実施形態（粒子状物質含有ガスまたはフィルタ再生用高熱ガス発生装置１００）で生成させた粒子状物質含有ガスまたはフィルタ再生用ガスを試料収納容器３１に送り、試料収納容器３１内に収納された多孔質セラミック構造体３２に供給することができるため、燃焼温度の高い粒子状物質を多孔質セラミック構造体３２に送り、かつ、多孔質セラミック構造体（フィルタ）に捕集した粒子状物質を燃焼再生させ、これを繰り返すことで多孔質セラミック構造体３２についての、長期信頼性、耐久性の評価を効果的に行うことができる。そして、自動車等に搭載した場合に近い試験結果を得ることができる。
【００６１】
本実施形態の多孔質セラミック構造体評価装置２００は、図６に示すように、冷却空気導入ノズル３３を側面に備えた冷却空気混合管３４を、粒子状物質含有ガスまたはフィルタ再生用高熱ガス発生装置１００と試料収納容器３１との間に、備えることが好ましい。そして、冷却空気導入ノズル３３から冷却空気混合管３４内に供給された冷却空気Ｆ３と、粒子状物質含有ガスまたはフィルタ再生用高熱ガスＦ２とを、冷却空気混合管３４内で混合して混合ガスを生成させ、当該混合ガス（冷却空気Ｆ３と粒子状物質含有ガスまたはフィルタ再生用高熱ガスＦ２との混合ガス）の温度を制御することができることが好ましい。そして、この場合、混合ガス（冷却空気Ｆ３と粒子状物質含有ガスまたはフィルタ再生用高熱ガスＦ２との混合ガス）が試料収納容器３１に送られる。これにより、より実際の使用に近い排気ガス温度および流量条件で多孔質セラミック構造体３２の評価をすることができる。冷却空気混合管３４と粒子状物質含有ガスまたはフィルタ再生用高熱ガス発生装置１００との接合、及び冷却空気混合管３４と試料収納容器３１との接合は、フランジを介して行われていることが好ましい。
【００６２】
図７は、本発明の多孔質セラミック構造体評価装置の一の実施形態を模式的に示す側面図である。本実施形態の多孔質セラミック構造体評価装置２００は、図７に示すように、冷却空気供給手段４１と、冷却空気供給手段４１から供給される空気（冷却空気Ｆ３）の流量を制御する冷却空気流量制御手段４２とを更に備え、冷却空気供給手段４１から、粒子状物質含有ガスまたはフィルタ再生用高熱ガス発生装置１００と試料収納容器３１との間（粒子状物質含有ガスまたはフィルタ再生用高熱ガス発生装置１００と試料収納容器３１との間に配設された冷却空気混合管３４内）に、冷却空気Ｆ３を導入し、冷却空気Ｆ３と粒子状物質またはフィルタ再生用ガスを含有するガス（粒子状物質含有ガスまたはフィルタ再生用高熱ガスＦ２）とを混合し、粒子状物質含有ガスまたはフィルタ再生用高熱ガスＦ２の温度調整が可能であることが好ましい。粒子状物質含有ガスまたはフィルタ再生用高熱ガスＦ２の温度制御の結果、得られるガスは、「冷却空気Ｆ３と粒子状物質含有ガスまたはフィルタ再生用高熱ガスＦ２との混合ガス」である。また、冷却空気供給手段４１と冷却空気導入ノズル３３とが配管で接続されていることが好ましい。
【００６３】
冷却空気供給手段４１としては、特に限定されないが、具体的には、コンプレッサーによる空気の供給、ブロアによる空気の供給等を挙げることができる。冷却空気流量制御手段４２としては、特に限定されないが、具体的には、減圧弁や流量制御バルブ等を挙げることができる。
【００６４】
本実施形態の多孔質セラミック構造体評価装置２００において、試料収納容器３１は、円筒状の缶体であることが好ましい。しかしながら、底面が「楕円形及び四角形等の多角形」の筒状の缶体であってもよい。また、試料収納容器３１は、ガスの入口側に入口管３１ａが配設され、ガスの出口側に出口管３１ｂが配設されていることが好ましい。そして、冷却空気混合管３４に入口管３１ａが接続され、冷却空気混合管３４から排出された粒子状物質含有ガスまたはフィルタ再生用高熱ガスＦ２と冷却空気Ｆ３との混合ガスが、入口管３１ａから試料収納容器３１内に流入し、試料収納容器３１を通過して出口管３１ｂから外部に排出されることが好ましい。
【００６５】
試料収納容器３１の大きさは、試験を行う多孔質セラミック構造体を内部に収納することができれば特に限定されない。試料収納容器３１の材質としては、ステンレス鋼を挙げることができる。入口管３１ａの材質と出口管３１ｂの材質は、試料収納容器３１の材質と同じであることが好ましい。入口管３１ａ出口管３１ｂおよび整流管３５の内径（直径）は、試料の容積によって異なり、実エンジンの排気管径と略等しい径であることが好ましい。またテーパ部の傾きは３０°〜６０°であることが好ましい。また、整流管３５の、ガスの流れる方向における長さは、整流管３５の内径（直径）の５倍以上であることが好ましい。
【００６６】
本実施形態の多孔質セラミック構造体評価装置２００において、冷却空気混合管３４は、燃焼室３のガス出口２と同じ形状の開口部を有する円筒状の配管であることが好ましい。冷却空気混合管３４のガスの流れる方向における長さは、特に限定はないが、冷却空気混合管３４の内径の３倍以上の長さがあることが好ましい。
【００６７】
冷却空気混合管３４に配設される冷却空気導入ノズル３３の接続位置は特に限定はないが、冷却空気導入ノズル３３の内径（直径）は、冷却空気混合管３４の内径と同内径であることが好ましい。
【００６８】
冷却空気導入ノズル３３は、当該冷却空気導入ノズル３３から流入する冷却空気の進行方向と、冷却空気混合管３４のガスが流れる方向とにより形成される角度（小さい側の角度）が３０°〜６０°となるように冷却空気混合管３４に配設されていることが好ましい。これにより、冷却空気と、粒子状物質含有ガスおよびフィルタ再生用ガスとの混合を良くすることができる。冷却空気導入ノズル３３及び冷却空気導入ノズル３３の材質としては、ステンレス鋼、ニッケル合金等を挙げることができる。
【００６９】
本実施形態の多孔質セラミック構造体評価装置２００によって評価を行う多孔質セラミック構造体３２は、排気ガス等から粒子状物質を捕集するためのフィルタとして使用されるものであれば特に限定されない。図８は、本発明の多孔質セラミック構造体評価装置の一の実施形態で評価を行うセラミックハニカム構造体５０を模式的に示す斜視図である。図９は、本発明の多孔質セラミック構造体評価装置の一の実施形態で評価を行うセラミックハニカム構造体５０のセルの延びる方向に平行な断面を示す模式図である。例えば、図８、図９に示すような、「一方の端面５５から他方の端面５６まで貫通し」流体の流路となる複数のセル５２を区画形成する「多孔質セラミックからなる隔壁５１」と、外周に位置する外周壁５４とを備え、一方の端面５５における所定のセルの開口部と、他方の端面５６における残余のセルの開口部に目封止部５３を有するセラミックハニカム構造体５０を挙げることができる。図８、図９に示すセラミックハニカム構造体５０は、一方の端面５５側に目封止部５３が形成された上記所定のセルと、他方の端面５６側に目封止部５３が形成された上記残余のセルとが交互に並び、一方の端面５５と他方の端面５６に市松模様が形成されている。
【実施例】
【００７０】
以下、本発明を実施例によって更に具体的に説明するが、本発明はこれらの実施例によって何ら限定されるものではない。
【００７１】
（実施例１）
図７に示すような構造の多孔質セラミック構造体評価装置２００を、厚さ４ｍｍのステンレス鋼を材料として作製した。また、燃焼室３のガスの流れる方向における長さを９００ｍｍとし、空気入口１（図１参照）における内径（直径）を７０ｍｍとし、ガス出口２（図１参照）における内径を１０６ｍｍとし、燃焼室３の中央の平行部分（テーパになっていない部分）の内径（直径）を１３０ｍｍとした。燃焼室３は、空気入口側及び空気出口側がテーパー状に細く形成された構造とし、テーパー状に形成された部分の、ガスの流れる方向における長さを１００ｍｍとした。冷却空気混合管３４のガスの流れる方向における長さを４５０ｍｍとし、内径を燃焼室３のガス出口２（図１参照）における内径と同じ長さにした。冷却空気混合管３４に配設される冷却空気導入ノズル３３は、内径（直径）１０６ｍｍとした。冷却空気混合管３４及び冷却空気導入ノズル３３は円筒状とした。試料収納容器３１は、内径（直径）３１３ｍｍ、長さ３６０ｍｍの円筒状とした。冷却空気供給手段としては、コンプレッサーを用い、空気を加圧して冷却空気を生成させた。冷却空気流量制御手段としては、減圧弁と流量制御弁を用いた。また、冷却空気供給手段によって発生させた空気（冷却空気）を、燃焼用空気及び冷却空気として用いた。
【００７２】
粒子状物質発生用メインバーナ４は、直径（内径）１０．５ｍｍの円筒状とし、直径６ｍｍの供給孔５（図２参照）が１つ形成されたものとした。粒子状物質発生用メインバーナ４は、ガスの流れる方向に直交する断面において供給孔が燃焼室３の中心に位置するように配置した。また、供給孔の向きを、１８０°方向（Ｑ１８０））（図４参照）になるようにした。粒子状物質発生用メインバーナ４は、パイロットバーナ６の位置から、ガスの流れる方向における上流側に向かって１００ｍｍの位置に配置した。パイロットバーナ６は、自動点火が可能で、圧縮空気の使用が可能であり、火炎検知器の取り付けが可能であるものとした。パイロットバーナ６は、ガスの流れる方向に直交するように、燃焼室３の壁面に設置した。パイロットバーナ６は、燃焼室３の空気入口１から、燃焼室３の「ガスの流れる方向における長さ」の４００ｍｍの位置に配置した。
【００７３】
上記多孔質セラミック構造体評価装置２００を用いて、粒子状物質を発生させた。気体燃料としては、ＬＰＧ（液化石油ガス）を気化させたものを用いた。気体燃料使用量（ＬＰＧの使用量）を３４．３リットル／分とした。燃焼用空気は１．０Ｎｍ３／分で供給し、冷却空気を加えた後の混合ガスのガス総量は７．０Ｎｍ３／分であった。燃焼室内の平均空気過剰率λは、１．２であった。平均空気過剰率λは、体積基準で求めた値である。パイロットバーナは、粒子状物質発生用メインバーナを着火して２０秒後に消火した。
【００７４】
上記粒子状物質発生方法によって発生した粒子状物質の燃焼温度（粒子状物質燃焼温度）を以下の方法で測定した。結果を表１に示す。
【００７５】
（粒子状物質の燃焼温度）
粒子状物質発生方法によって発生した粒子状物質を濾紙で捕集した。そして、「粒子状物質が捕集された濾紙」を、電気炉で４５０℃に加熱し、その後、「１０℃昇温する毎に１０分間保持する」という操作を繰り返しながら昇温し、濾紙上の粒子状物質が完全に焼失したときの温度を粒子状物質の燃焼温度とした。
【００７６】
【表１】
0005548639.tif 000002
【００７７】
（実施例２〜７）
「供給孔の向き」を、表１に示すように変更した以外は、実施例１と同様にして、粒子状物質を発生させた。上記方法により、「粒子状物質燃焼温度」を測定した。結果を表１に示す。
【００７８】
表１より、燃焼室内に気体燃料を連続的に供給することにより、５００℃以上という高い燃焼温度の粒子状物質を得ることができることがわかる。
【００７９】
また、表１より、「供給孔の向き」が９０〜２７０°である場合に、５２０℃以上という高い燃焼温度の粒子状物質を得ることができることがわかる。更に、「供給孔の向き」が１３５〜２２５°である場合に、５４０℃という更に高い燃焼温度の粒子状物質を得ることができることがわかる。
【００８０】
（参考例）
特開２００７−１５５７１２号公報に記載のＰＭ発生装置を用いて、粒子状物質を発生させた。使用燃料である液体燃料としては、軽油を用いた。軽油の使用量（液体燃料使用量）は、３．６リットル／時間とした。燃料間欠噴射手段における、燃料の噴射時間（開弁時間）を１５ミリ秒とし、燃料噴射周期（開弁周期）を６０ミリ秒とした。これにより、デューティー比（開弁時間／開弁周期）は０．２５であった。また、燃焼用空気の供給量を０．４５Ｎｍ３／分とし、総空気量を４．０Ｎｍ３／分とした。平均空気過剰率λを０．８１とし、瞬間空気過剰率を０．２０とした。瞬間空気過剰率とは、液体燃料噴射時（開弁時）における、液体燃料の濃度が高くなった時点の空気過剰率である。実施例１と同様にして、「粒子状物質発生量」及び「粒子状物質燃焼温度」を上記方法で測定した。結果を表２に示す。
【００８１】
【表２】
0005548639.tif 000003
【００８２】
表１と表２とを比較すれば明らかなとおり、本発明の多孔質セラミック構造体評価装置によれば、液体燃料を使用した特開２００７−１５５７１２号公報に記載のＰＭ発生装置に比べて、粒子状物質をより多量に発生させることができる。しかも、本発明の多孔質セラミック構造体評価装置によれば、発生した粒子状物質の燃焼温度がより高い。
【００８３】
（実施例８〜１３、比較例１，２）
粒子状物質発生用メインバーナの、供給孔の向きを１８０°方向（Ｑ１８０）とし、粒子状物質発生用メインバーナの「パイロットバーナからの距離」を表３に示すように変更した以外は、実施例１と同様にして粒子状物質を発生させた。表３の「パイロットバーナからの距離」の欄における、「プラスの数値（例えば、実施例８における「２００ｍｍ」）」は、「粒子状物質発生用メインバーナ４が、パイロットバーナ６の位置から、ガスの流れる方向における上流側に向かって、当該数値だけ離れた位置に配置されている」ことを示す。また、表３の「パイロットバーナからの距離」の欄における、「マイナスの数値（例えば、実施例１３における「−１００」）」は、「粒子状物質発生用メインバーナ４が、パイロットバーナ６の位置から、ガスの流れる方向における下流側に向かって、「当該数値の絶対値」だけ離れた位置に配置されている」ことを示す。上記方法により、「粒子状物質燃焼温度」を測定した。結果を表３に示す。
【００８４】
【表３】
0005548639.tif 000004
【００８５】
表３より、燃焼室内における粒子状物質発生用メインバーナが、「パイロットバーナから下流側（燃焼用空気の流れ方向における下流側）に向かって１００ｍｍの位置から、パイロットバーナから上流側（燃焼用空気の流れ方向における下流側）に向かって２００ｍｍの位置までの範囲」、に配置されることにより、５２０〜５６０℃という高い燃焼温度の粒子状物質を得ることができることがわかる。更に、粒子状物質発生用メインバーナが、「パイロットバーナから下流側に向かって１００ｍｍの位置から、パイロットバーナから上流側に向かって１５０ｍｍの位置までの範囲」に配置されることにより、５３０〜５６０℃という更に高い燃焼温度の粒子状物質を得ることができることがわかる。更に、粒子状物質発生用メインバーナが、「パイロットバーナから下流側に向かって１００ｍｍの位置から、パイロットバーナから上流側に向かって１００ｍｍの位置までの範囲」に配置されることにより、５４０〜５６０℃という更に高い燃焼温度の粒子状物質を得ることができることがわかる。更に、粒子状物質発生用メインバーナが、「パイロットバーナから下流側に向かって１００ｍｍの位置から、パイロットバーナから上流側に向かって５０ｍｍの位置までの範囲」に配置されることにより、５５０〜５６０℃という更に高い燃焼温度の粒子状物質を得ることができることがわかる。尚、粒子状物質発生用メインバーナが、「パイロットバーナから下流側に向かって１５０ｍｍの位置」に配置された場合（実施例１４）、粒子状物質発生用メインバーナとパイロットバーナとの間の距離が遠いため、粒子状物質発生用メインバーナが消え易かった。そして、粒子状物質発生用メインバーナが、「パイロットバーナから下流側に向かって１００ｍｍの位置」に配置された場合（実施例１３）には消えることはなかった。
【００８６】
（実施例１４〜２０）
粒子状物質発生用メインバーナの、供給孔の向きを１８０°方向（Ｑ１８０）とし、気体燃料使用量を表４に示すように変更することにより、燃焼室内の平均空気過剰率を変化させた以外は、実施例１と同様にして、粒子状物質を発生させた。実施例１と同様にして、「粒子状物質燃焼温度」を上記方法で測定した。結果を表４に示す。
【００８７】
【表４】
0005548639.tif 000005
【００８８】
表４より、燃焼室内の平均空気過剰率が、０．８および３．０の場合に、５００℃という高い燃焼温度のを得ることができることがわかる。また、燃焼室内の平均空気過剰率が、０．９〜２．０の場合に、５２０℃〜５４０℃という更に高い燃焼温度の粒子状物質を得ることができることがわかる。
【００８９】
（実施例２１）
図５に示すような「８個の供給孔５を形成した形状」とし、各供給孔５の開口径（直径）を２ｍｍとし、平均空気過剰率λを１．２とした以外は、実施例１と同様にして、粒子状物質を発生させた。上記方法により、「粒子状物質発生量」を測定した。結果を表５に示す。
【００９０】
（実施例２２〜２７）
粒子状物質発生用メインバーナ４の供給孔５の個数を１個とし、供給孔５の直径を、表５に示すように変更した以外は、実施例２１と同様にして、粒子状物質を発生させた。上記方法により、粒子状物質発生量を測定した。結果を表５に示す。尚、実施例２７においては、円筒状の粒子状物質発生用メインバーナ４の直径（内径）を１４ｍｍにした。
【００９１】
【表５】
0005548639.tif 000006
【００９２】
表５より、気体燃料がＬＰＧ（液化プロパンガス）とした場合、粒子状物質発生用メインバーナ４の供給孔５は供給孔数を１個とし、燃料を分散させずに集中して燃焼室内に供給したほうが、粒子状物質が多く発生していることがわかる。更に、粒子状物質発生用メインバーナ４の供給孔５の直径は４〜１０ｍｍの範囲である場合に特に粒子状物質が多く発生していることがわかる。
【００９３】
（実施例２８〜３４）
気体燃料をメタンを主成分としたＬＮＧ（液化天然ガス）とし、平均空気過剰率λを１．２、気体燃料使用量を８５．９リットル／分とした。さらに、円筒状のメインバーナ４の直径（内径）を１９ｍｍとし、粒子状物質発生用メインバーナ４の供給孔５の直径を、表６に示すように変更した。それ以外は、実施例１と同様にして、粒子状物質を発生させ、その発生量を測定した。結果を表６に示す。
【００９４】
【表６】
0005548639.tif 000007
【００９５】
表６より、気体燃料をメタンが主成分のＬＮＧ（液化天然ガス）とした場合、粒子状物質発生用メインバーナ４の供給孔５は供給孔数を１個とし、供給孔５の直径は８〜１２ｍｍの範囲である場合に特に粒子状物質が多く発生しており、供給孔５の直径が６〜１４ｍｍの範囲である場合に粒子状物質が多く発生していることがわかる。
【００９６】
（実施例３５〜３９）
フィルタ再生用高熱ガス発生用メインバーナ４′は、ガスの流れる方向に直交するように配置した。また、供給孔の向きを、０°方向（Ｑ０）（図４参照）になるようにした。フィルタ再生用高熱ガス発生用メインバーナ４′は、パイロットバーナ６の位置から、ガスの流れる方向における上流側に向かって２００ｍｍの位置に配置した。燃焼用空気の供給量を１．５Ｎｍ３／分とし、冷却空気の供給量は０Ｎｍ３／分、総空気量を１．５Ｎｍ３／分、温度を７００℃とした。気体燃料はＬＰＧ（液化プロパガス）とし、燃焼用空気に対する空気過剰率λを２．１、気体燃料使用量を２９．４リットル／分とした。さらに、フィルタ再生用高熱ガス発生用メインバーナ４′の供給孔５の総数、供給孔の列数、供給孔の直径を、表７に示すようにし、各々の条件でフィルタ再生ガスを発生させ、その燃焼の安定性および粒子状物質の発生量を測定した。結果を表７に示す。
【００９７】
【表７】
0005548639.tif 000008
【００９８】
表７より、気体燃料をＬＰＧ（液化プロパンガス）とした場合のフィルタ再生用高熱ガス発生用メインバーナ４′の供給孔５は二列に並べるより、一列であることが再生時に問題となる粒子状物質の発生がなく、供給孔５の直径は２ｍｍで、８〜２０個を並べた構成であることが、粒子状物質の発生がなく、燃焼の安定性も良く、再生高温ガス発生用として適していることがわかる。
【００９９】
（実施例４０〜４３）
気体燃料をＬＮＧ（液化天然ガス）とし、平均空気過剰率λを２．１、気体燃料使用量を７３．６リットル／分とした。さらに、フィルタ再生用高熱ガス発生用メインバーナ４′の供給孔５の総数、供給孔の列数、供給孔の直径を、表８に示すように変更した。それ以外は、実施例３５〜３９と同様にして、フィルタ再生用高熱ガスを発生させ、その燃焼の安定性および粒子状物質発生量を測定した。結果を表８に示す。
【０１００】
【表８】
0005548639.tif 000009
【０１０１】
表８より、気体燃料がメタンを主成分のＬＮＧ（液化天然ガス）とした場合のフィルタ再生用高熱ガス発生用メインバーナ４′の供給孔５は直径２ｍｍとし、２０〜３０個を一列に並べた構成であることが、再生時に問題となる粒子状物質の発生がなく、燃焼の安定性も良く、フィルタ再生用高熱ガス発生用として適していることがわかる。
【０１０２】
（比較例３）
特開２０１０−２２３８８２号公報に記載のフィルタ用連続再生試験装置を用いて、粒子状物質を発生させた。使用燃料である液体燃料としては、軽油を用いた。軽油の使用量（液体燃料使用量）は、３．６リットル／時間とした。燃料間欠噴射手段における、燃料の噴射時間（開弁時間）を１５ミリ秒とし、燃料噴射周期（開弁周期）を６０ミリ秒とした。これにより、デューティー比（開弁時間／開弁周期）は０．２５であった。また、燃焼用空気の供給量を０．３１Ｎｍ３／分とし、総空気量を２．５０Ｎｍ３／分とした。平均空気過剰率λを０．９３とし、瞬間空気過剰率を０．２３とした。粒子状物質含有ガスのガス温度を２００℃とし、粒子状物質を堆積量で１２．５ｇとなる圧損で、１０．０ｋｐａまでフィルタに堆積させた後、試験装置から外し、フィルタの重量を測定、予め測定しておいた粒子状物質堆積前の重量を差し引き、粒子状物質堆積重量とした。堆積重量測定後、再度、試験装置に取り付け、総空気量を１．５Ｎｍ３／分入口ガス温度７００℃のフィルタ再生用高熱ガスにより、フィルタに堆積した粒子状物質を燃焼させ、フィルタを再生した。これを５０サイクル繰り返し、粒子状物質堆積重量のバラツキを確認した。結果を表９に示す。
【０１０３】
（実施例４４）
本発明の多孔質セラミック構造体評価装置２００を用いて、粒子状物質を発生させた。
気体燃料としては、ＬＰＧ（液化石油ガス）を気化させたものを用いた。気体燃料使用量（ＬＰＧの使用量）を１２．０リットル／分とした。燃焼用空気は０．３５Ｎｍ３／分で供給し、冷却空気を加えた後の混合ガスの温度は２００℃、ガス総量は２．５Ｎｍ３／分で、燃焼室内の平均空気過剰率λは、１．２であった。それ以外は、実施例１と同様にして、粒子状物質を発生させた。粒子状物質を堆積量で１２．５ｇとなる圧損で、９．２ｋｐａまでフィルターに堆積させた後、試験装置から外し、フィルターの重量を測定し、予め測定しておいた粒子状物質堆積前の重量を差し引き、粒子状物質堆積重量とした。堆積重量測定後、再度、試験装置に取り付け、総空気量を１．５Ｎｍ３／分、入口ガス温度７００℃の高温再生ガスにより、フィルタに堆積した粒子状物質を燃焼させ、フィルタを再生した。これを５０サイクル繰り返し、粒子状物質堆積重量のバラツキを確認した。結果を表９に示す。
【０１０４】
【表９】
0005548639.tif 000010
【０１０５】
表９より、特開２０１０−２２３８８２号公報に記載のフィルタ用連続再生試験装置を用い、液体燃料である軽油を間欠噴射し、瞬間空気過剰率を０．２３で粒子状物質を発生させた場合に比べ、本発明のフィルタ用連続再生試験装置による粒子状物質は、気体燃料を高い空気過剰率で燃焼し、粒子状物質を発生できることから、ＳＯＦ量が少なく、フィルタ設定圧損までのＰＭ堆積量のバラツキが６４％まで小さくなっていることがわかる。
【産業上の利用可能性】
【０１０６】
本発明の粒子状物質含有ガスまたはフィルタ再生用高熱ガス発生装置および多孔質セラミック構造体評価装置は、自動車用エンジン、建設機械用エンジン、産業用定置エンジン、燃焼機器等から排出される排ガスに含有される粒子状物質を捕集するための多孔質セラミック構造体（フィルタ）の長期信頼性、耐久性を評価確認するために好適に利用することができる。
【符号の説明】
【０１０７】
１：空気入口、２：ガス出口、３：燃焼室、４：粒子状物質発生用メインバーナ、４′：フィルタ再生用高熱ガス発生用メインバーナ、５：供給孔（気体燃料を供給する孔）、６：パイロットバーナ、７：フランジ（鍔部）、８：燃焼室の中心、３１：試料収納容器、３１ａ：入口管、３１ｂ：出口管、３２：多孔質セラミック構造体、３３：冷却空気導入ノズル、３４：冷却空気混合管、３５：整流管、４１：冷却空気供給手段、４２：冷却空気流量制御手段、５０：ハニカム構造体、５１：隔壁、５２：セル、５３：目封止部、５４：外周壁、５５：一方の端面、５６：他方の端面、１００：粒子状物質含有ガスまたはフィルタ再生用高熱ガス発生装置、２００：多孔質セラミック構造体評価装置、Ｆ１：燃焼用空気、Ｆ２：粒子状物質含有ガスまたはフィルタ再生用高熱ガス、Ｆ３：冷却空気、Ｑ：気体燃料の供給方向（供給孔の向き）、Ｑ０：０°方向、Ｑ９０：９０°方向、Ｑ１８０：１８０°方向、Ｑ２７０：２７０°方向。
【図１】
0005548639.tif 000011
【図２】
0005548639.tif 000012
【図３】
0005548639.tif 000013
【図４】
0005548639.tif 000014
【図５】
0005548639.tif 000015
【図６】
0005548639.tif 000016
【図８】
0005548639.tif 000017
【図９】
0005548639.tif 000018
【図７】
0005548639.tif 000019